(57)【特許請求の範囲】
【請求項１】
固定遮蔽室（２）及び同遮蔽室の開口部を蔽う、案内レール上を移動可能に開閉される遮蔽扉（３）で形成された照射室（１）と、前記遮蔽扉（３）の前記照射室（１）内側に取り付けられた、被照射物（９）を搬送するキャプスタン（１０）と、前記遮蔽扉（３）の前記照射室（１）外側に取り付けられた、前記キャプスタン（１０）を駆動させるモータ（１９）を含む駆動装置（１８）とを備え、該駆動装置（１８）によるキャプスタン（１０）の駆動機構を、前記モータ（１９）の回転が、一旦前記遮蔽扉（３）の前記照射室（１）外側に設けられた連結軸（２０、２２）を介して前記遮蔽扉（３）の前記照射室（１）外側に設けられ遮蔽ボックス（２８）で囲まれたギヤボックス（２３）に伝達され、次に、該ギヤボックス（２３）を経て前記遮蔽扉（３）に設けられた孔（２４）を通して設けられた連結軸（２５）を介して照射室（１）内のギヤボックス（２６）に伝達されて、前記キャプスタン（１０）を駆動するように構成したことを特徴とする電子線照射装置。
【発明の詳細な説明】
【０００１】
【産業上の利用分野】
本発明は、照射室の遮蔽扉に被照射物を搬送するキャプスタンとその駆動装置を取付け、メンテナンス性、作業効率の向上を図った電子線照射装置に関する。
【０００２】
【従来の技術】
図３，図４は、被照射物が例えば絶縁層で被覆された電線、ケーブルである電子線照射装置の一例について、互いに直交関係にある断面での照射室部分の構成図である。電子線照射装置は自己遮蔽構造に構成されており、照射室１は、固定遮蔽室２と、その開口部を蔽う遮蔽扉３によって形成されており、電子線発生部４は固定遮蔽室の奥、遮蔽扉との対向位置に取り付けられている。固定遮蔽室２は枠組み５の上に固定して取り付けられており、遮蔽扉３は、同扉と支え部材６に取付けた車輪７によって案内レール上を移動可能に構成されている。
【０００３】
電子線発生部４における電子源、加速管からの電子線は、同発生部の走査管８から、照射室１内に搬送される電線、ケーブル等の被照射物９に照射される。被照射物を搬送するキャプスタン或いはローラ（以下、キャプスタンという）１０は、軸受１１、軸受カバー部材１２、支持部材１３によって固定遮蔽室２に取り付けられている。電線、ケーブル等の被照射物９は、固定遮蔽室２の被照射物入口１４から転動ローラ１５を経て二つのキャプスタン１０の間に複数回掛け渡されて照射領域内に搬送され、転動ローラ１６、転動ローラ１５と同一軸線上の異なる位置にある転動ローラを経て固定遮蔽室の被照射物出口に至る。被照射物９に対する照射領域を通過した電子線は遮蔽扉３に取り付けたビームキャッチャ１７で捕捉する。
【０００４】
【発明が解決しようとする課題】
メンテナンス時、遮蔽扉３を図４に示すように、矢印方向に移動させて、照射室１を開放する。固定遮蔽室２側には、電子線照射に伴い照射室内に生ずるオゾンに対する換気機構、走査管８の端部にある照射窓の窓箔に吹き付ける冷却風のノズル等があり、これらのメンテナンスと共に照射窓の窓箔は電子線透過に伴い劣化するから定期的に交換しなければならない。この点、キャプスタン１０が狭い固定遮蔽室２側にあると、キャプスタンのメンテナンスを含めて、固定遮蔽室内の構成要素のメンテナンス作業は甚だ面倒な状況にある。
【０００５】
さらに、キャプスタン１０に掛け渡された被照射物９は外部から引っ張って駆動しているが、電線、ケーブル等の被照射物を外部から引っ張ると延びが生じ、電子線の照射により加熱されていると更に延びを助長する。したがって、延びの発生を考慮すると強く引っ張ることができないから、電線、ケーブルの搬送速度が制限されることになり、また、細い電線のような被照射物では外部から引っ張ることもできない。
【０００６】
本発明は、電子線照射装置のメンテナンス作業が容易にできるようにすると共に、外部から引っ張らずに被照射物を照射領域内に搬送することができる電子線照射装置の提供を目的とするものである。
【０００７】
【課題を解決するための手段】
本発明の電子線照射装置は、固定遮蔽室及び同遮蔽室の開口部を蔽う、案内レール上を移動可能に開閉される遮蔽扉で形成された照射室と、前記遮蔽扉の前記照射室内側に取り付けられた、被照射物を搬送するキャプスタンと、前記遮蔽扉の前記照射室外側に取り付けられた、前記キャプスタンの駆動装置とを備えてなることを特徴とするものである。
【０００８】
【作用】
被照射物を搬送するキャプスタンは、固定遮蔽室側ではなく、遮蔽扉についているから、遮蔽扉を開放することにより、固定遮蔽室内とキャプスタン部のメンテナンスが容易に行える。またキャプスタンは遮蔽扉に設けた駆動装置によって駆動するから、外部から引っ張らずに被照射物を照射領域内に搬送させることができ、駆動装置は遮蔽扉の照射室外側に設けられていることにより、照射室内に生ずるＸ線、オゾンに対する遮蔽、防護についても、駆動装置からキャプスタンへの連結軸を通す孔から洩れる部分を考慮すればよいから、簡単で済む。
【０００９】
【実施例】
本発明の実施例について図面を参照して説明する。図１，図２は互いに直交関係にある断面での実施例の構成図を示し、図２は図１の線Ａ−Ａでの断面構成図であり、図３，４と同一符号は同等部分を示す。電子線照射装置は自己遮蔽構造に構成されており、照射室１は固定遮蔽室２とその開口部を蔽う遮蔽扉３によって形成されており、電子線発生部４は固定遮蔽室２の奥、遮蔽扉との対向位置に取り付けられている。
【００１０】
被照射物９を搬送するキャプスタン１０は、支持部材１３によって遮蔽扉３の照射室内側に取り付けられており、キャプスタンは遮蔽扉３の照射室外側に取り付けた駆動装置１８によって駆動される。
【００１１】
駆動装置１８におけるモ−タ１９の連結軸２０の回転は、ギヤボックス２１によって二つのキャプスタン１０の方向への分岐連結軸２２に伝達され、さらにギヤボックス２３によって遮蔽扉３の孔２４を貫通する連結軸２５とギヤボックス２６を経てキャプスタン軸に伝達される。照射室１内に位置するギヤボックス２６はオゾンからギヤを保護するためにステンレス板によるギアカバー２７でケーシングし、カバーの隙間からギアボックス内にオゾンの侵入を防ぐため、エアパージによりカバー内部を陽圧にする。
【００１２】
連結軸２５が貫通する遮蔽扉３の孔２４から照射室内で発生したＸ線が洩れるので、遮蔽扉の外側のギヤボックス２１，２３の周りは、Ｘ線遮蔽と回転している連結軸からの安全を図るための保護カバーを兼ねて例えば鉛を内張りした遮蔽ボックス２８で蔽う。この遮蔽ボックスには保守点検用の開閉部２８１を設けるが、Ｘ線安全対策のために、この開閉部にリミットスイッチを設け、かつカギを取り付ける等により、電子線照射装置の運転中は開かないようにし、また、閉め忘れ時にはリミットスイッチで検知し、運転ができないようにする。
【００１３】
【発明の効果】
本発明は、以上説明したように構成したので、被照射物を搬送するキャプスタンは照射室の遮蔽扉についているから、遮蔽扉を開放することにより、大きなメンテナンススペースのもとで、固定遮蔽室内、キャプスタン部及びその駆動機構部のメンテナンスが容易に行える。またキャプスタンは遮蔽扉に設けた駆動装置によって駆動するから、外部から引っ張らずに被照射物を照射領域内に搬送させることができる。
【００１４】
キャプスタンの駆動装置については、遮蔽扉の照射室内側に設けることが考えられるが、照射室内にはＸ線、オゾンが発生し、モ−タを含む駆動装置はＸ線場では電気的、機械的にもトラブルを伴い、そして電子線により発生するオゾンにより錆が生ずるから、駆動装置全体をステンレスで蔽った鉛ボックス内に入れ、さらにボックス内をオゾンの侵入を防ぐためにエアパージする必要がある。しかし、Ｘ線から護るためには、加速電圧８００ｋＶでは１２０〜１４０ｍｍ厚さの鉛を要し、重量も極度に増し、そのメンテナンスも大変である。この点、本発明では、キャプスタンの駆動装置は遮蔽扉の照射室外側に設けており、照射室内側に位置するキャプスタンの駆動に係る部分もギヤボックス（２６）で済み、照射室内に生ずるＸ線、オゾンの影響についても、遮蔽扉の外に洩れる部分、キャプスタンに対する連結軸（２５）を通す遮蔽扉に設けた孔から洩れる部分を考慮するだけでよいから、駆動装置に対する防護、遮蔽構造も簡単、軽量に構成することができ、駆動装置は照射室外側に設けられていることに伴い、メンテナンスも容易となり、その長寿命化を図ることができる。
【図面の簡単な説明】
【図１】本発明の実施例の断面構成図である。
【図２】図１の線Ａ−Ａでの断面構成図である。
【図３】従来の電子線照射装置の一例を示す断面構成図である。
【図４】図３に示した電子線照射装置について、図３とは直交関係にある断面での構成図である。
【符号の説明】
１  照射室
２  固定遮蔽室
３  遮蔽扉
９  被照射物
１０  被照射物を搬送するキャプスタン
１８  キャプスタンの駆動装置
１９  モ−タ
２１，２３，２６  ギヤボックス
２０，２２，２５  連結軸
２４  孔
【図１】
0003590963.tif 000002
【図２】
0003590963.tif 000003
【図３】
0003590963.tif 000004
【図４】
0003590963.tif 000005